(57)【要約】      （修正有）【課題】本を載置固定する本載置板の傾斜角度を無段階で安定的に調節できると共に、本のサイズに合わせ本載置板のサイズを調節できる、卓上書見台並びに車両内での固定装置を提供する。【解決手段】第１本載置板２とこれに対してスライド可能に取り付けた第２本載置板３とから成る本載置板１１と、第２本載置板３を所定のスライド位置で固定する第１固定手段４と、第１本載置板２の一端部に設けた第１ページ押さえ手段５と、第２本載置板３の端部に設けた第２ページ押さえ手段６と、第１本載置板２の傾斜角度を調節する傾斜角度調節手段７と、第１本載置板２の下端部側に設けた本支承部材９とから構成すると共に、傾斜角度調節手段７を、第１本載置板２の上部に取り付けた本載置板支承部材７ａと、これに対してスライド可能に取り付けた傾斜角度調節板７ｃと、この傾斜角度調節板を適宜なスライド位置で固定する第２固定手段８とで構成する。【選択図】図１
2010220943.tif 000002
【特許請求の範囲】
【請求項１】
第１本載置板とこの第１本載置板に対してスライド可能に取り付けた第２本載置板とから成る本載置板と、前記第２本載置板を前記第１本載置板に対する所定のスライド位置で固定する第１固定手段と、前記第１本載置板の一端部に設けた本の第１ページ押さえ手段と、前記第２本載置板の端部に設けた本の第２ページ押さえ手段と、前記第１本載置板の傾斜角度を調節する第１傾斜角度調節手段と、前記第１本載置板の下端部側に設けた本支承部材とから構成すると共に、前記第１傾斜角度調節手段を、前記第１本載置板の上部に取り付けた本載置板支承部材と、この本載置板支承部材に対してスライド可能に取り付けた傾斜角度調節板と、この傾斜角度調節板を前記本載置板支承部材に対する適宜なスライド位置で当該本載置板支承部材へ固定する第２固定手段とで構成したことを特徴とする、卓上書見台。
【請求項２】
請求項１の卓上書見台は、さらに前記第１ページ押さえ手段と前記第２ページ押さえ手段のいずれか一方或は双方に着脱可能に取り付けられる第３ページ押さえ手段と第４ページ押さえ手段を備えていることを特徴とする、卓上書見台。
【請求項３】
請求項１に記載の卓上書見台は、さらに前記第１傾斜角度調節手段及び又は本支承部材に着脱可能に装着されて前記本載置板の傾斜角度を調節する、第２傾斜角度調節手段を備えていることを特徴とする、卓上書見台。
【請求項４】
請求項１の卓上書見台は、さらに前記第１ページ押さえ手段と前記第２ページ押さえ手段のいずれか一方或は双方に着脱可能に取り付けられる第３ページ押さえ手段と第４ページ押さえ手段と、前記第１傾斜角度調節手段及び又は本支承部材に着脱可能に装着されて前記本載置板の傾斜角度を調節する、第２傾斜角度調節手段とを備えていることを特徴とする、卓上書見台。
【請求項５】
請求項１に記載の卓上書見台と、この卓上書見台を車両のハンドルへ固定するための第1固定手段とから成り、この第1固定手段を前記第１本載置板の裏側に所定間隔を空けて取り付けた一対の紐状部材と、で構成したことを特徴とする、車両内での本固定装置。
【請求項６】
請求項１に記載の卓上書見台と、この卓上書見台を車両のヘッドレストへ固定させる固定補助具とから成り、この固定補助具を、前記卓上書見台を係止する平面矩形状を呈した枠体と、この枠体より上方へ突設した固定片と、この固定片をヘッドレストへ固定させるために取り付けられた第２固定手段としての紐状部材と、この紐状部材の両端部に取り付けた接続手段と、枠体の下端部より後方へ突設された一対の保持片と、前記卓上書見台を支持するために前記枠体の上部より前方へ取り付けた一対の支持部材とで構成したことを特徴とする、車両内での本固定装置。
【発明の詳細な説明】
【技術分野】
【０００１】
本発明は、卓上書見台並びにこの卓上書見台を用いて車両の中でも本を固定して読書をすることのできるように成した本の固定装置に関する。
【背景技術】
【０００２】
従来より、読書をする際に机の上で本を読み易い角度に固定する卓上書見台としては、様々な種類のものが提案されているが、比較的構造が簡単なものとして下記するものが公知である。
【先行技術文献】
【特許文献】
【０００３】
【特許文献１】特表２００１−５２５２３７号公報
【特許文献２】特開２００３−０７０５５３号公報
【０００４】
これらの公知の卓上書見台は、いずれも本を載置させる本載置板と、この本載置板の傾斜角度を調節できる傾斜角度調節手段を有しているが、本載置板の大きさを本のサイズに合わせて調節する幅調節手段(第２本載置板)は有していない。また、本のページを挟むページ押さえ手段も有していない。さらに、傾斜角度調節手段にしても、特許文献１のものは、段階的に載置板の傾斜角度を調節するものであり、無段階に調節できるようにはなっていない。特許文献２のものは、載置板の傾斜角度を無段階で調節できるが、特に重量のある本の場合や本へ書き込みをする場合など本載置板へ荷重が加わった場合に、当該本載置板の傾斜角度を維持するのが困難であるという問題がある。
【０００５】
また、従来公知の卓上書見台は、卓上（或は机上）で本を読む場合に適しているが、例えば車両内の運転席や後部座席において、本を固定させて読む工夫は全く凝らされていない。車社会の世の中、実際に車両内で読書をする機会も増えており、卓上書見台を車両内においても使用できるようにすると、その用途が増大して便利である。
【発明の概要】
【発明が解決しようとする課題】
【０００６】
本発明の目的は、簡単な構成で、本を載置固定する本載置板の傾斜角度を無段階で安定的に調節できると共に、本のサイズに合わせ本載置板のサイズを調節できる、卓上書見台を提供せんとするにある。
【０００７】
本発明の次の目的は、上記卓上書見台を用いて車両内で本を固定させて本を読むことのできる、本の固定装置を提供せんとするにある。
【課題を解決するための手段】
【０００８】
上記した目的を達成するために本発明は、第１本載置板とこの第１本載置板に対してスライド可能に取り付けた第２本載置板とから成る本載置板と、前記第２本載置板を前記第１本載置板に対する所定のスライド位置で固定する第１固定手段と、前記第１本載置板の一端部に設けた本の第１ページ押さえ手段と、前記第２本載置板の端部に設けた本の第２ページ押さえ手段と、前記第１本載置板の傾斜角度を調節する第１傾斜角度調節手段と、前記第１本載置板の下端部側に設けた本支承部材とから構成すると共に、前記第１傾斜角度調節手段を、前記第１本載置板の上部に取り付けた本載置板支承部材と、この本載置板支承部材に対してスライド可能に取り付けた傾斜調節板と、この傾斜調節板を前記本載置板支承部材に対する適宜なスライド位置で当該本載置板支承部材へ固定する第２固定手段とで構成したことを特徴とする。      
【０００９】
その際に本発明は、上記卓上書見台にさらに前記第１ページ押さえ手段と前記第２ページ押さえ手段のいずれか一方或は双方に着脱可能に取り付けられる第３ページ押さえ手段と第４ページ押さえ手段、及び又は前記第１傾斜角度調節手段及び又は本支承部材に着脱可能に装着されて前記本載置板の傾斜角度を調節する、第２傾斜角度調節手段を備えていることを特徴とする。
【００１０】
本発明はまた、車両内での本の固定装置を、上記卓上書見台と、この卓上書見台を車両のハンドルへ固定するための第1固定手段とで構成し、この第1固定手段を前記第１本載置板の裏側に所定間隔を空けて取り付けた一対の紐状部材で構成したことを特徴とする。
【００１１】
そして本発明はまた、車両内での本の固定装置を、上記卓上書見台と、この卓上書見台を車両のヘッドレストへ固定させる固定補助具とから成り、この固定補助具を、前記卓上書見台を係止する平面矩形状を呈した枠体と、この枠体より上方へ突設した固定片と、この固定片をヘッドレストへ固定させるために取り付けられた第２固定手段としての紐状部材と、この紐状部材の両端部に取り付けた接続手段と、枠体の下端部より後方へ突設された一対の保持片と、前記卓上書見台を支持するために前記枠体の上部より前方へ取り付けた一対の支持部材とで構成したことを特徴とする。
【発明の効果】
【００１２】
本発明に係る卓上書見台によれば、簡単な構成で、本を載置固定させる本載置板の大きさを可変とした上で、本載置板の傾斜角度を無段階に安定して調節できることから、各種サイズの本に対応できた上で、重量のある本でも安定的に保持でさでき、らに、読書中の本への書き込みも無理なく（傾斜角度を崩すことなく、行うことができるという効果を奏し得る。
【００１３】
さらに、本発明によれば、第３ページ押さえ手段と第４ページ押さえ手段を備えさせることにより、かなり厚い本であっても左右のページをほぼ水平に保ち得ることにより厚い本を読み易くすることができる。
【００１４】
さらに、本発明によれば、第２傾斜角度調節手段を備えることにより、本載置板の傾斜角度をさらにさまざまに変えることができるものである。
【００１５】
また、本発明によれば、本発明に係る卓上書見台と紐状部材から成る第１固定手段を組み合わせて本固定装置を構成することにより、車両内のとくに運転席でハンドルに卓上書見台を固定させて読書することができるものである。
【００１６】
また、本発明によれば、車両のヘッドレストヘ取り付ける紐状の固定部材を設けた固定補助具と、本発明に係る卓上書見台とを組み合わせて本固定装置を構成することにより、車両内でのヘッドレストへ卓上書見台を固定させて、読書することができるものである。
【図面の簡単な説明】
【００１７】
【図１】本発明に係る卓上書見台並びにこの卓上書見台を用いた車両内での本固定装置をやや手前側から見た正面図である。
【図２】図１に示した卓上書見台並びにこの卓上書見台を用いた車両内での本固定装置を示す背面図である。
【図３】図１に示す卓上書見台並びにこの卓上書見台を用いた車両内での本固定装置を背面から見た平面図である。
【図４】図１に示す卓上書見台並びにこの卓上書見台を用いた車両内での本固定装置の右側面図である。
【図５】図１に示す卓上書見台並びにこの卓上書見台を用いた車両内での本固定装置の左側面図である。
【図６】図１乃至図５に示した卓上書見台の使用例を説明するための説明図である。
【図７】本発明に係る卓上書見台並びにこの卓上書見台を用いた車両内での本固定装置の第３ページ押さえ手段の斜視図である。
【図８】本発明に係る卓上書見台並びにこの卓上書見台を用いた車両内での本固定装置の第４ページ押さえ手段の斜視図である。
【図９】図７と図８に示した第３ページ押さえ手段と第４ページ押さえ手段の使用例を示す説明図である。
【図１０】本発明に係る卓上書見台の本載置板の傾斜角度をさらに調節する第２傾斜角度調節手段を示す斜視図である。
【図１１】図１０に示した第２傾斜角度調節手段を異なる方向から見た斜視図である。
【図１２】図１０と図１１に示した第２傾斜角度調節手段の使用例を示す説明図である。
【図１３】図１０と図１１に示した第２傾斜角度調節手段の使用例を示す説明図である。
【図１４】図１０と図１１に示した第２傾斜角度調節手段の使用例を示す説明図である。
【図１５】本発明に係る卓上書見台を用いた車両内での本固定装置の使用例を示す正面図である。
【図１６】図１５の状態を側面から見た説明図である。
【図１７】本発明に係る卓上書見台を用いた他の実施例に係る車両内での本固定装置の固定補充具をその後方から見た斜視図である。
【図１８】図１７に示した固定補助具をその前方から見た斜視図である。
【図１９】図１７と図１８に示した固定補助具を使用した他の実施例に係る車両内での本の固定装置の使用例を示す説明図である。
【発明を実施するための形態】
【００１８】
以下に、本発明に係る卓上書見台並びにこの卓上書見台を用いた車両内での本固定装置を図面に基づいて説明する。
【実施例】
【００１９】
図面によれば図１〜図５において、本発明に係る卓上書見台１は、平面略矩形状を呈した第１本載置板２とこの第１本載置板２に対して左右方向へスライド可能に取り付けられた第２本載置板３とから成る本載置板１１と、この第２本載置板３を第１本載置板２に対して所定のスライド位置で固定する第１固定手段４と、第１本載置板２の一端部に取り付けられた第１ページ押さえ手段５と、第２本載置板３の一端部に取り付けられた第２ページ押さえ手段６と、第２本載置板３の傾斜角度を調節する第１傾斜角度調節手段７と、この第１傾斜角度調節手段７による角度調節を任意の角度で固定する第２固定手段８と、第１本載置板２の下端部に設けた本支承部材９とで構成されている。
【００２０】
第１本載置板２は、木製、プラスチック製のものが好ましく、その中央に第２本載置板３の左右方向のスライド動作をガイドするガイド溝２ａと、このガイド溝２ａに続いて角状のガイド孔２ｂが設けられている。
【００２１】
第２本載置板３は、同じく木製、プラスチック製のものが好ましく、平面矩形状を呈し、第１本載置板２に設けたガイド溝２ａとガイド孔２ｂに対し左右方向へスライド可能に嵌入されている。
【００２２】
第１固定手段４は、第２本載置板３に取り付けられた第１ボルト４ａとこの第１ボルト４ａに捻子着された、例えば蝶ナットから成る第１締付ナット４ｂと、第１ボルト４ａを挿通させて前記第１本載置板２に設けた第１ガイド長孔２ｃとで構成されている。尚、この第１固定手段４は、一例であって、このものに限定されない。要するに第２本載置板３を第１本載置板２に対する任意の左右方向のスライド位置で固定できれば良い。
【００２３】
第１ページ押さえ手段５は、第１本載置板２の一端部に取り付けた第１基板部５ａと、この第１基板部５ａに対して第１ヒンジ手段５ｂを介して回動可能に取り付けたところの第１クリップ部５ｃ及び第１押圧部５ｄを備えた第１クリップ板５ｅと、前記第１ヒンジ手段５ｂの第１ヒンジピン５ｆに環巻きされて第１基板部５ａと第１クリップ板５ｅとの間に弾設した、例えば、トーションスプリングから成る第１弾性手段５ｇとで構成されている。
【００２４】
尚、第１ヒンジ手段５ｂは、第１基板部５ａより所定間隔を空けて立ち上げた一対の第１支承片５ｈ、５ｈと、第１クリップ板５ｅより所定間隔を空けて垂下させた第１連結片５ｉ、５ｉと、を第１ヒンジピン５ｆで連結させたもので、第１支承片５ｈ、５ｈと第１連結片５ｉ、５ｉは、それぞれ第１基板部５ａと第１クリップ板５ｅの両側より内側に設けられている。第１クリップ板５ｅの第１押圧部５ｄの端部には、第１係止片５ｊが取り付けられている。
【００２５】
尚、この第１ページ押さえ手段５において、第１基板部５ａは、これを第１本載置板２が兼ねるように構成しても良い。
【００２６】
第２ページ押さえ手段６は、第２本載置板３の端部に取り付けた第２基板部６ａと、第２基板部６ａに対し第２ヒンジ手段６ｂを介して回転可能に取り付けたところの第２クリップ部６ｃと第２押圧部６ｄと、を備えた第２クリップ板６ｅと、前記第２ヒンジ手段６ｂの第２ヒンジピン６ｆに環巻きされて第２基板部６ａと第２クリップ板６ｅとの間に弾設された、例えばトーションスプリングから成る第２弾性手段６ｇとで構成されている。
【００２７】
尚、第２ヒンジ手段６ｂは、第２基板部６ａより所定間隔を空けて立ち上げた一対の第２支承片６ｈ、６ｈと、第２クリップ板６ｅより所定間隔を空けて垂下させたところの第２連結片６ｉ、６ｉと、を第２ヒンジピン６ｆで連結させたもので、第２支承片６ｈ、６ｈと第２連結片６ｉ、６ｉは、それぞれ第２基板部６ａと第２クリップ板６ｅの両側より内側に設けられている。第２クリップ板６ｅの第２押圧部６ｄの端部には、第２係止片６ｊが取り付けられている。
【００２８】
尚、この第２ページ押さえ手段６において、第２基板部６ａは、これを第２本載置板３が兼ねるように構成しても良い。
【００２９】
第１傾斜角度調節手段７は、第１本載置板２の上端部に取り付けた角筒状の第２ガイド長孔７ｂを有する本載置板支承部材７ａと、この本載置板支承部材７ａの第２ガイド長孔７ｂに対してスライド可能に挿入された傾斜角度調節板７ｃとで構成されている。この傾斜角度調節板７ｃを任意のスライド位置で本載置板支承部材７ａへ固定する第２固定手段８は、傾斜角度調節板７ｃに取り付けた第２ボルト８ａと、この第２ボルト８ａに捻子着される例えば蝶ナットから成る第２締付ナット８ｂと、第２ボルト８ａを挿通ガイドするために本載置板支承部材７ａに設けた第２ガイド長孔７ｂとで構成されている。
【００３０】
この第２固定手段８は、実施例のものに限定されず、要するに傾斜角度調節板７ｃを任意のスライド位置で本載置板支承部材７ａに対し固定できれば足りる。尚、図２及び図５に示したように、本載置板支承部材７ａに指示記号７ｄ、７ｄで示したものは、後述する第３ページ押さえ手段或は第４ページ押さえ手段を係着しておくためのマジックテープ（登録商標）である。
【００３１】
また、傾斜角度調節板７ｃは、実施例のものは、第１本載置板２の上面側へも突出できるように構成されているが、これも任意である。さらに、本載置板支承部材７ａに傾斜角度調節板７ｃをスライド可能に取り付ける手段は、実施例のものは、長孔状の第２ガイド長孔７ｂであるが、これに限定されず、傾斜角度調節板７ｃの両側をスライド可能に支承する断面略Ｕ字形状のガイド溝であっても良い。
【００３２】
本支承部材９は、第１本載置板２の下端部に設けられているが、実施例ではその突出方向を第１本載置板２の上面側の第１突出部９ａと下面側の短い第２突出部９ｂの双方になっている。がしかし、第１突出部９ａのみとすることも考えられる。
【００３３】
次に、以上に説明したような構成の卓上書見台の作用について説明する。
【００３４】
本発明に係る卓上書見台１を、例えば図６に示したように机Ａの上に置くと、本載置板１１が所定の角度に保たれるので、必要に応じて第１傾斜角度調節手段７を操作して第１本載置板２しかして本載置板１１の傾斜角度を調節する。尚、第１本載置板２の傾斜角度を調節すると、第２本載置板３の傾斜角度も共に調節される。第１本載置板２の傾斜角度の調節は、第２固定手段８の第２締付ナット８ｂを弛めて傾斜角度調節板７ｃをスライドさせて行なう。本のサイズが大きい場合には、第１締付ナット４ｂを弛めて第２本載置板３を右方向へスライドさせることによって行う。本１２を本載置板１１上へ載置させ、その下端部を本支承部材９に当接させた後、本１２を開いて読みたいページを開き、第１ページ押さえ手段５と第２ページ押さえ手段６を用いて、ページを固定して読書を行う。開いたページが読み終わったら、第１ページ押さえ手段５の第１クリップ板５ｅを用いてページをめくり、次いで、このめくったページを第２ページ押さえ手段６でクリップさせて、引き続き読書し、しかる後、上記操作を本１２を読み終わるまで繰り返すことになる。尚、本１２は読み始めの時は、第１ページ押さえ手段５側に残されているページが厚いため、当該第１ページ押さえ手段５を用いてページ押させをしなくとも本１２が安定する場合がある。この場合は第１ページ押さえ手段５を使用しない場合がある。
【００３５】
次に、図７と図９は、本発明に係る第３ページ押さえ手段１０と第４ページ押さえ手段１５を示す。図７に示した第３ページ押さえ手段１０は、第１及び第２ページ押さえ手段５と６の各第１及び第２基板部５ａと６ａのどちらかに装着できるところの、その両側下部に第１取付溝１０ｋ、１０ｋを設けた材厚の厚い第１取付部１０ａと、この第１取付部１０ａに取り付けた第３基板部１０ｂと、この第３基板部１０ｂに対して第３ヒンジ手段１０ｃを介して回動可能に取り付けた第３クリップ部１０ｄ及び第３押圧部１０ｅを備えた第３クリップ板１０ｆと、前記第３ヒンジ手段１０ｃの第３ヒンジピン１０ｇに環巻きされて第３基板部１０ｂと第３クリップ板１０ｆとの間に弾設した、例えば、トーションスプリングから成る第３弾性手段１０ｈとで構成されている。
【００３６】
第３ヒンジ手段１０ｃは、第３基板部１０ｂより所定間隔を空けて立ち上げた一対の第３支承片１０ｉ、１０ｉと、第３クリップ板１０ｆより所定間隔を空けて垂下させた第３連結片１０ｊ、１０ｊを第３ヒンジピン１０ｇで連結させたものである。指示記号１０ｍ、１０ｍは例えばマジックテープ（登録商標）であり、図９において指示記号１０ｎで示したものは、第３ページ押さえ手段１０を例えば第１或は第２係止片５ｊ、６ｊへ係止させる連結紐である。
【００３７】
尚、この第３ページ押さえ手段１０において、第３基板部１０ｂは、これを第１取付部１０ａが兼ねるように構成しても良い。また、この第１取付部１０ａの材厚が厚いことが、図９に示したように、厚さのある本１２のページを左右水平に保ったり、押さえたりする際に重要である。
【００３８】
図８に示した第４ページ押さえ手段１５は、第１及び第２ページ押さえ手段５と６の各第１及び第２基板部５ａと６ａのどちらかに装着させるところの両側下部に第２取付溝１５ａ、１５ａを設けた第２取付部１５ｂと、この第２取付部１５ｂに取り付けたところの、例えば透明或は半透明の合成樹脂製で可撓性材質のページ押さえ板１５ｃとで構成されている。指示記号１５ｄ、１５ｄのものはマジックテープ（登録商標）である。
【００３９】
尚、この第４ページ押さえ手段１５において、第４ページ押さえ手段１５と第３ページ押さえ手段１０は、第２取付部１５ｂと第１取付部１０ａに、上述したように、それぞれにマジックテープ（登録商標）１５ｄ、１０ｍが取り付けられており、このマジックテープ（登録商標）１５ｄ、１０ｍを用いて第３ページ押さえ手段１０と第４ページ押さえ手段１５のいずれか一方或は双方を本載置板支承部材７ａに取り付けたマジックテープ（登録商標）７ｄ、７ｄに係着してその紛失を防止するものである。
【００４０】
図９は、第３ページ押さえ手段１０と第４ページ押さえ手段１５の使用例を示す。図中のものは、厚い本の読み始めのときの使用例を示し、第３ページ押さえ手段１０を第２ページ押さえ手段６へ重ねて取り付け、第４ページ押さえ手段１５を第１ページ押さえ手段５へ重ねて取り付けたものを示してある。いずれも、第１及び第２取付部１０ａ、１５ｂを第２ページ押さえ手段６と第１ページ押さえ手段５の第２及び第１クリップ板６ｅ、５ｅに、当該各第２及び第１クリップ板６ｅ、５ｅを第１取付溝１０ｋ、１０ｋと第２取付溝１５ａ、１５ａへ挿入させることによって装着されており、本載置板１１(第１本載置板２と第２本載置板３)上へ載置させる本１２が厚い場合に重ねて使用し、第３及び第４ページ押さえ手段１０、１５を用いて厚い本のページをしっかりと固定するものである。
【００４１】
一方の第４ページ押さえ手段１５のページ押さえ板１５ｃは、透明或は半透明の合成樹脂製であるので、このページ押さえ板１５ｃを通して本１２の字を読むことが可能である。尚、第３ページ押さえ手段１０と第４ページ押さえ手段１５を装着させる側は、上述したものに限定されるものではなく、厚い本の読み終わりに近くにあっては、その装着先を上述したものとは逆、つまり第３ページ押さえ手段１０を第１ページ押さえ手段５の側へ、第４ページ押さえ手段１５を第２ページ押さえ手段６の側へそれぞれ装着するものである。
【００４２】
図１０と図１１は、本発明に係る第２傾斜角度調節手段２０の他の実施例を示す。図面によれば、この第２傾斜角度調節手段２０は、その上部と下部の端面に溝の深い第１係止溝２０ａと溝の浅い第２係止溝２０ｂをその平面部と平行に設けたプレート部２０ｃと、このプレート部２０ｃの一端部側にその平面部に所定間隔を空けて取り付けて（設けて）一方の第２係止溝２０ｂの側へ突出させた一対の係止片２０ｄ、２０ｄと、これらの係止片２０ｄ、２０ｄを設けた側とは反対面に所定間隔を空けて突設させたところの側面略三角形状を呈した一対の脚部２０ｅ、２０ｅとで構成されている。
【００４３】
図１２乃至図１４は、以上のように構成した第２傾斜角度調節手段２０の使用例を説明するためのもので、図１２に示したように、第１傾斜角度調節手段７の傾斜角度調節板７ｃを本載置板支承部材７ａより引き出して第２固定手段８で固定させ、傾斜角度調節板７ｃの露出側を、第２傾斜角度調節手段２０の第１係止溝２０ａへ挿入させてやると、卓上書見台１の本載置板１１の傾斜角度をより高くすることができるものである。この第２傾斜角度調節手段２０のプレート部２０ｃの挿入方向を図１３に示したように変えても同じ効果を奏し得る。
【００４４】
また、第２傾斜角度調節手段２０のプレート部２０ｃに設けた第２係止溝２０ｂを、本支承部材９の第２突出部９ｂと嵌合させると、図１４に示したように、卓上書見台１を机上に対して略水平状態にする事ができる。このような使用例は、卓上書見台１を置く机が、例えば製図台のように最初から傾斜している場合や卓上に少し高くして水平において読書したい場合に利用できよう。
【００４５】
図１乃至図５は、また、図１５と図１６に示した本発明に係る車両内での本固定装置２６の一実施例を示し、図１乃至図５に示したように、上述した卓上書見台１の第１本載置板２の裏面には、所定間隔を空けて一対の紐状部材２５ａ、２５ａから成る第１固定手段２５が取り付けられている。この第１固定手段２５の紐状部材２５ａ、２５ａと上述した構成の卓上書見台１とで、図１５と図１６に示したように、自動車等の車両内での本固定装置２６が構成されている。
【００４６】
第１固定手段２５の紐状部材２５ａ、２５ａは、好ましくはゴム製であるが、その他の皮製、合成樹脂製のいずれの材料のもので良く、要するに卓上書見台１を車両のハンドルへ固定できるものであれば足りる。この紐状部材２５ａ、２５ａは、第１本載置板２の下端部の両側に取り付けた平面略Ｕ字形状の取付部材２７、２７に通されて取り付けられており、その両端側には、互いを接続する際に用いる、例えばマジックテープ（登録商標）から成る接続手段２８、２８・２９、２９が設けられている。尚、この接続手段２８、２８・２９、２９は、他にも公知のバンド方式、クリップ方式等であっても良く、要するに第１固定手段２５の紐状部材２５ａ、２５ａで卓上書見台１をハンドルに固定した際に、この固定状態を維持できれば足りる。さらに、第１本載置板２の裏面には、紐状部材２５ａ、２５ａに取り付けたマジックテープ（登録商標）２５ｂ、２５ｂを当該第１本載置板２へ固定するマジックテープ（登録商標）２ｄ、２ｄが取り付けられている。
【００４７】
使用に際しては、図１乃至図５に示した状態から、接続手段２８、２８・２９、２９による係着状態から紐状部材２５ａ、２５ａの両端部を離して、図１５と図１６に示したように、第１本載置板２を逆方向にして、紐状部材２５ａ、２５ａを自動車のハンドルＢに回し、次いで接続手段２８、２８・２９、２９で紐状部材２５ａ、２５ａの両側を接続すると装着完了である。図示のものは、本支承部材９の側が上方へ位置し、第１傾斜角度調節手段７の側が下の方に位置しているが、この取り付け方法に限定はない。これはハンドルＢの角度によるものとし、通常の卓上書見台１の使用例のように、本支承部材９の側をハンドルＢの下側にして当該ハンドルＢへ固定させても良い場合もある。図示のように、第１傾斜角度調節手段７の側をハンドルＢの下側に位置させた場合には、傾斜角度調節板７ｃを第１本載置板２の上面側へ突出させることが、本を第１本載置板２上へ固定する上で望ましいことになる。
【００４８】
後は、卓上書見台１の通常の卓上での使用例のように、本載置板１１上の本１２を各ページ押さえ手段５、６或は１０、１５を用いて固定させて、車内で読書をすることになる。尚、第１傾斜角度調節手段７をハンドルＢの下側へ位置させるのは、本載置板１１とハンドルＢとの間に生じる間隙により、第２本載置板３による本のサイズに合わせた調節をし易くし、かつ、ハンドルＢの傾斜に合わせて本載置板１１の傾斜角度を調節し易くするためである。
【００４９】
次に、図１７と図１９は自動車等の車両内の後部座席において、ヘッドレストＣを利用して本を固定する本固定装置３０の他の実施例を示す。とくに図１９に示したように、この本固定装置３０は、上述した卓上書見台１と、固定補助具３１とから構成されている。卓上書見台の構成は、上述したものと同じ構成であるので説明を省略するが、固定補助具３１は、とくに図１７と図１８に示したように、平面矩形状を呈した枠体３１ａと、この枠体３１ａより上方へ突設した固定片３１ｂと、この固定片３１ｂをヘッドレストＣへ固定させるために取り付けられた第２固定手段３１ｃとしての紐状部材３１ｄと、この紐状部材３１ｄの両端部に取り付けた、例えばマジックテープ（登録商標）のような接続手段３１ｅ、３１ｅと、枠体３１ａ下端部より後方へ突設された一対の保持片３１ｆ、３１ｆと、枠体３１ａの上部より前方へ取り付けた一対の支持部材３１ｇ、３１ｇとで構成されている。
【００５０】
使用に際しては、とくに図１９に示したように、ヘッドレストＣの後部に固定片３１ｂを当てがい、第２固定手段３１ｃの紐状部材３１ｄをヘッドレストＣの図示してない支柱部分に回して、接続手段３１ｅ、３１ｅを用いて固定片３１ｂをヘッドレストＣへ固定する。そうすると、保持片３１ｆ、３１ｆ（一方のみ表示）が座席Ｄの凹んでいる部分ｄに当たり、枠体３１ａが正しい姿勢に保持される。後は、卓上書見台１を枠体３１ａの上に載せ、第１傾斜角度調節手段７を枠体３１ａの手前側へ係止させると、本載置板１１が支持部材３１ｇ上に支承され、読書するのに適した姿勢にすることができるようになる。そこで卓上書見台１の本載置板１１上へ上述したように本を載置固定させて読書するものである。卓上書見台１の使用方法は前述したものと同じであるのでその説明を省略する。尚、紐状部材３１ｄは、これを縦方向へ２本設けてヘッドレストＣへ縦方向に回して固定片３１ｂをヘッドレストＣへ固定するようにしても良い。また、図１７と図１８に指示記号３１ｈ、３１ｈで示したものは係止ピンであって、図１９に示したように、卓上書見台１の第１傾斜角度調節手段７を枠体３１ａへ係止させ、本載置板１１上へ載置した際に、本の重量により卓上書見台１が枠体３１ａから外れて落下してしまわないようにするために、係止紐３１ｉ（ゴム製が好ましい。）で第１傾斜角度調節手段７の第２固定手段８の第２締付ナット８ｂへ係止させるのに用いるものである。
【産業上の利用可能性】
【００５１】
以上詳細に説明したように、本発明に係る卓上書見台は、机の上に置いて使い勝手の良い書見台として用いることができ、自動車等の車両内において、ハンドルやヘッドレストへ本発明に係る卓上書見台を取り付け、この卓上書見台上へ本を固定させる本固定装置として用いることができる。
【符号の説明】
【００５２】
Ａ  机
Ｂ  ハンドル
Ｃ  ヘッドレスト
Ｄ  座席
１  卓上書見台
２  第１本載置板
３  第２本載置板
４  第１固定手段
５  第１ページ押さえ手段
６  第２ページ押さえ手段
７  第１傾斜角度調節手段
７ａ  本載置板支承部材
７ｃ  傾斜角度調節板
８  第２固定手段
９  本支承部材
１０  第３ページ押さえ手段
１１  本載置板
１２  本
１５  第４ページ押さえ手段
２０  第２傾斜角度調節手段
２５  第１固定手段
２５ａ  紐状部材
２６  本固定装置
２７  取付部材
２８  接続手段
３０  本固定装置
３１  固定補助具
３１ａ  枠体
３１ｂ  固定片
３１ｆ  保持片
【図１】
2010220943.tif 000003
【図２】
2010220943.tif 000004
【図３】
2010220943.tif 000005
【図４】
2010220943.tif 000006
【図５】
2010220943.tif 000007
【図６】
2010220943.tif 000008
【図７】
2010220943.tif 000009
【図８】
2010220943.tif 000010
【図９】
2010220943.tif 000011
【図１０】
2010220943.tif 000012
【図１１】
2010220943.tif 000013
【図１２】
2010220943.tif 000014
【図１３】
2010220943.tif 000015
【図１４】
2010220943.tif 000016
【図１５】
2010220943.tif 000017
【図１６】
2010220943.tif 000018
【図１７】
2010220943.tif 000019
【図１８】
2010220943.tif 000020
【図１９】
2010220943.tif 000021
【手続補正書】
【提出日】平成21年4月15日(2009.4.15)
【手続補正１】
【補正対象書類名】明細書
【補正対象項目名】全文
【補正方法】変更
【補正の内容】
【発明の詳細な説明】
【技術分野】
【０００１】
本発明は、卓上書見台並びにこの卓上書見台を用いて車両の中でも本を固定して読書をすることのできるように成した本の固定装置に関する。
【背景技術】
【０００２】
従来より、読書をする際に机の上で本を読み易い角度に固定する卓上書見台としては、様々な種類のものが提案されているが、比較的構造が簡単なものとして下記するものが公知である。
【先行技術文献】
【特許文献】
【０００３】
【特許文献１】特表２００１−５２５２３７号公報
【特許文献２】特開２００３−０７０５５３号公報
【０００４】
これらの公知の卓上書見台は、いずれも本を載置させる本載置板と、この本載置板の傾斜角度を調節できる傾斜角度調節手段を有しているが、本載置板の大きさを本のサイズに合わせて調節する幅調節手段(第２本載置板)は有していない。また、本のページを挟むページ押さえ手段も有していない。さらに、傾斜角度調節手段にしても、特許文献１のものは、段階的に載置板の傾斜角度を調節するものであり、無段階に調節できるようにはなっていない。特許文献２のものは、載置板の傾斜角度を無段階で調節できるが、特に重量のある本の場合や本へ書き込みをする場合など本載置板へ荷重が加わった場合に、当該本載置板の傾斜角度を維持するのが困難であるという問題がある。
【０００５】
また、従来公知の卓上書見台は、卓上（或は机上）で本を読む場合に適しているが、例えば車両内の運転席や後部座席において、本を固定させて読む工夫は全く凝らされていない。車社会の世の中、実際に車両内で読書をする機会も増えており、卓上書見台を車両内においても使用できるようにすると、その用途が増大して便利である。
【発明の概要】
【発明が解決しようとする課題】
【０００６】
本発明の目的は、簡単な構成で、本を載置固定する本載置板の傾斜角度を無段階で安定的に調節できると共に、本のサイズに合わせ本載置板のサイズを調節できる、卓上書見台を提供せんとするにある。
【０００７】
本発明の次の目的は、上記卓上書見台を用いて車両内で本を固定させて本を読むことのできる、本の固定装置を提供せんとするにある。
【課題を解決するための手段】
【０００８】
上記した目的を達成するために本発明は、第１本載置板とこの第１本載置板に対してスライド可能に取り付けた第２本載置板とから成る本載置板と、前記第２本載置板を前記第１本載置板に対する所定のスライド位置で固定する第１固定手段と、前記第１本載置板の一端部に設けた本の第１ページ押さえ手段と、前記第２本載置板の端部に設けた本の第２ページ押さえ手段と、前記第１本載置板の傾斜角度を調節する第１傾斜角度調節手段と、前記第１本載置板の下端部側に設けた本支承部材とから構成すると共に、前記第１傾斜角度調節手段を、前記第１本載置板の上部に取り付けた本載置板支承部材と、この本載置板支承部材に対してスライド可能に取り付けた傾斜調節板と、この傾斜調節板を前記本載置板支承部材に対する適宜なスライド位置で当該本載置板支承部材へ固定する第２固定手段とで構成したことを特徴とする。
【０００９】
その際に本発明は、上記卓上書見台にさらに前記第１ページ押さえ手段と前記第２ページ押さえ手段のいずれか一方或は双方に着脱可能に取り付けられる第３ページ押さえ手段と第４ページ押さえ手段、及び又は前記第１傾斜角度調節手段及び又は本支承部材に着脱可能に装着されて前記本載置板の傾斜角度を調節する、第２傾斜角度調節手段を備えていることを特徴とする。
【００１０】
本発明はまた、車両内での本の固定装置を、上記卓上書見台と、この卓上書見台を車両のハンドルへ固定するための第1固定手段とで構成し、この第1固定手段を前記第１本載置板の裏側に所定間隔を空けて取り付けた一対の紐状部材で構成したことを特徴とする。
【００１１】
そして本発明はまた、車両内での本の固定装置を、上記卓上書見台と、この卓上書見台を車両のヘッドレストへ固定させる固定補助具とから成り、この固定補助具を、前記卓上書見台を係止する平面矩形状を呈した枠体と、この枠体より上方へ突設した固定片と、この固定片をヘッドレストへ固定させるために取り付けられた第２固定手段としての紐状部材と、この紐状部材の両端部に取り付けた接続手段と、枠体の下端部より後方へ突設された一対の保持片と、前記卓上書見台を支持するために前記枠体の上部より前方へ取り付けた一対の支持部材とで構成したことを特徴とする。
【発明の効果】
【００１２】
本発明に係る卓上書見台によれば、簡単な構成で、本を載置固定させる本載置板の大きさを可変とした上で、本載置板の傾斜角度を無段階に安定して調節できることから、各種サイズの本に対応できた上で、重量のある本でも安定的に保持でさでき、らに、読書中の本への書き込みも無理なく（傾斜角度を崩すことなく、行うことができるという効果を奏し得る。
【００１３】
さらに、本発明によれば、第３ページ押さえ手段と第４ページ押さえ手段を備えさせることにより、かなり厚い本であっても左右のページをほぼ水平に保ち得ることにより厚い本を読み易くすることができる。
【００１４】
さらに、本発明によれば、第２傾斜角度調節手段を備えることにより、本載置板の傾斜角度をさらにさまざまに変えることができるものである。
【００１５】
また、本発明によれば、本発明に係る卓上書見台と紐状部材から成る第１固定手段を組み合わせて本固定装置を構成することにより、車両内のとくに運転席でハンドルに卓上書見台を固定させて読書することができるものである。
【００１６】
また、本発明によれば、車両のヘッドレストヘ取り付ける紐状の固定部材を設けた固定補助具と、本発明に係る卓上書見台とを組み合わせて本固定装置を構成することにより、車両内でのヘッドレストへ卓上書見台を固定させて、読書することができるものである。
【図面の簡単な説明】
【００１７】
【図１】本発明に係る卓上書見台並びにこの卓上書見台を用いた車両内での本固定装置をやや手前側から見た正面図である。
【図２】図１に示した卓上書見台並びにこの卓上書見台を用いた車両内での本固定装置を示す背面図である。
【図３】図１に示す卓上書見台並びにこの卓上書見台を用いた車両内での本固定装置を背面から見た平面図である。
【図４】図１に示す卓上書見台並びにこの卓上書見台を用いた車両内での本固定装置の右側面図である。
【図５】図１に示す卓上書見台並びにこの卓上書見台を用いた車両内での本固定装置の左側面図である。
【図６】図１乃至図５に示した卓上書見台の使用例を説明するための説明図である。
【図７】本発明に係る卓上書見台並びにこの卓上書見台を用いた車両内での本固定装置の第３ページ押さえ手段の斜視図である。
【図８】本発明に係る卓上書見台並びにこの卓上書見台を用いた車両内での本固定装置の第４ページ押さえ手段の斜視図である。
【図９】図７と図８に示した第３ページ押さえ手段と第４ページ押さえ手段の使用例を示す説明図である。
【図１０】本発明に係る卓上書見台の本載置板の傾斜角度をさらに調節する第２傾斜角度調節手段を示す斜視図である。
【図１１】図１０に示した第２傾斜角度調節手段を異なる方向から見た斜視図である。
【図１２】図１０と図１１に示した第２傾斜角度調節手段の使用例を示す説明図である。
【図１３】図１０と図１１に示した第２傾斜角度調節手段の使用例を示す説明図である。
【図１４】図１０と図１１に示した第２傾斜角度調節手段の使用例を示す説明図である。
【図１５】本発明に係る卓上書見台を用いた車両内での本固定装置の使用例を示す正面図である。
【図１６】図１５の状態を側面から見た説明図である。
【図１７】本発明に係る卓上書見台を用いた他の実施例に係る車両内での本固定装置の固定補充具をその後方から見た斜視図である。
【図１８】図１７に示した固定補助具をその前方から見た斜視図である。
【図１９】図１７と図１８に示した固定補助具を使用した他の実施例に係る車両内での本の固定装置の使用例を示す説明図である。
【図２０】サイズの異なる本の場合の使用例を示す卓上書見台の正面図である。
【図２１】図２０の状態の右側面図である。
【発明を実施するための形態】
【００１８】
以下に、本発明に係る卓上書見台並びにこの卓上書見台を用いた車両内での本固定装置を図面に基づいて説明する。
【実施例】
【００１９】
図面によれば図１〜図５において、本発明に係る卓上書見台１は、平面略矩形状を呈した第１本載置板２とこの第１本載置板２に対して左右方向へスライド可能に取り付けられた第２本載置板３とから成る本載置板１１と、この第２本載置板３を第１本載置板２に対して所定のスライド位置で固定する第１固定手段４と、第１本載置板２の一端部に取り付けられた第１ページ押さえ手段５と、第２本載置板３の一端部に取り付けられた第２ページ押さえ手段６と、第２本載置板３の傾斜角度を調節する第１傾斜角度調節手段７と、この第１傾斜角度調節手段７による角度調節を任意の角度で固定する第２固定手段８と、第１本載置板２の下端部に設けた本支承部材９とで構成されている。
【００２０】
第１本載置板２は、木製、プラスチック製のものが好ましく、その中央に第２本載置板３の左右方向のスライド動作をガイドするガイド溝２ａと、このガイド溝２ａに続いて角状のガイド孔２ｂが設けられている。
【００２１】
第２本載置板３は、同じく木製、プラスチック製のものが好ましく、平面矩形状を呈し、第１本載置板２に設けたガイド溝２ａとガイド孔２ｂに対し左右方向へスライド可能に嵌入されている。
【００２２】
第１固定手段４は、第２本載置板３に取り付けられた第１ボルト４ａとこの第１ボルト４ａに捻子着された、例えば蝶ナットから成る第１締付ナット４ｂと、第１ボルト４ａを挿通させて前記第１本載置板２に設けた第１ガイド長孔２ｃとで構成されている。尚、この第１固定手段４は、一例であって、このものに限定されない。要するに第２本載置板３を第１本載置板２に対する任意の左右方向のスライド位置で固定できれば良い。
【００２３】
第１ページ押さえ手段５は、第１本載置板２の一端部に取り付けた第１基板部５ａと、この第１基板部５ａに対して第１ヒンジ手段５ｂを介して回動可能に取り付けたところの第１クリップ部５ｃ及び第１押圧部５ｄを備えた第１クリップ板５ｅと、前記第１ヒンジ手段５ｂの第１ヒンジピン５ｆに環巻きされて第１基板部５ａと第１クリップ板５ｅとの間に弾設した、例えば、トーションスプリングから成る第１弾性手段５ｇとで構成されている。
【００２４】
尚、第１ヒンジ手段５ｂは、第１基板部５ａより所定間隔を空けて立ち上げた一対の第１支承片５ｈ、５ｈと、第１クリップ板５ｅより所定間隔を空けて垂下させた第１連結片５ｉ、５ｉと、を第１ヒンジピン５ｆで連結させたもので、第１支承片５ｈ、５ｈと第１連結片５ｉ、５ｉは、それぞれ第１基板部５ａと第１クリップ板５ｅの両側より内側に設けられている。第１クリップ板５ｅの第１押圧部５ｄの端部には、第１係止片５ｊが取り付けられている。
【００２５】
尚、この第１ページ押さえ手段５において、第１基板部５ａは、これを第１本載置板２が兼ねるように構成しても良い。
【００２６】
第２ページ押さえ手段６は、第２本載置板３の端部に取り付けた第２基板部６ａと、第２基板部６ａに対し第２ヒンジ手段６ｂを介して回転可能に取り付けたところの第２クリップ部６ｃと第２押圧部６ｄと、を備えた第２クリップ板６ｅと、前記第２ヒンジ手段６ｂの第２ヒンジピン６ｆに環巻きされて第２基板部６ａと第２クリップ板６ｅとの間に弾設された、例えばトーションスプリングから成る第２弾性手段６ｇとで構成されている。
【００２７】
尚、第２ヒンジ手段６ｂは、第２基板部６ａより所定間隔を空けて立ち上げた一対の第２支承片６ｈ、６ｈと、第２クリップ板６ｅより所定間隔を空けて垂下させたところの第２連結片６ｉ、６ｉと、を第２ヒンジピン６ｆで連結させたもので、第２支承片６ｈ、６ｈと第２連結片６ｉ、６ｉは、それぞれ第２基板部６ａと第２クリップ板６ｅの両側より内側に設けられている。第２クリップ板６ｅの第２押圧部６ｄの端部には、第２係止片６ｊが取り付けられている。
【００２８】
尚、この第２ページ押さえ手段６において、第２基板部６ａは、これを第２本載置板３が兼ねるように構成しても良い。
【００２９】
第１傾斜角度調節手段７は、第１本載置板２の上端部に取り付けた角筒状の第２ガイド長孔７ｂを有する本載置板支承部材７ａと、この本載置板支承部材７ａの第２ガイド長孔７ｂに対してスライド可能に挿入された傾斜角度調節板７ｃとで構成されている。この傾斜角度調節板７ｃを任意のスライド位置で本載置板支承部材７ａへ固定する第２固定手段８は、傾斜角度調節板７ｃに取り付けた第２ボルト８ａと、この第２ボルト８ａに捻子着される例えば蝶ナットから成る第２締付ナット８ｂと、第２ボルト８ａを挿通ガイドするために本載置板支承部材７ａに設けた第２ガイド長孔７ｂとで構成されている。
【００３０】
この第２固定手段８は、実施例のものに限定されず、要するに傾斜角度調節板７ｃを任意のスライド位置で本載置板支承部材７ａに対し固定できれば足りる。尚、図２及び図５に示したように、本載置板支承部材７ａに指示記号７ｄ、７ｄで示したものは、後述する第３ページ押さえ手段或は第４ページ押さえ手段を係着しておくためのマジックテープ（登録商標）である。
【００３１】
また、傾斜角度調節板７ｃは、実施例のものは、第１本載置板２の上面側へも突出できるように構成されているが、これも任意である。さらに、本載置板支承部材７ａに傾斜角度調節板７ｃをスライド可能に取り付ける手段は、実施例のものは、長孔状の第２ガイド長孔７ｂであるが、これに限定されず、傾斜角度調節板７ｃの両側をスライド可能に支承する断面略Ｕ字形状のガイド溝であっても良い。
【００３２】
本支承部材９は、第１本載置板２の下端部に設けられているが、実施例ではその突出方向を第１本載置板２の上面側の第１突出部９ａと下面側の短い第２突出部９ｂの双方になっている。がしかし、第１突出部９ａのみとすることも考えられる。
【００３３】
次に、以上に説明したような構成の卓上書見台の作用について説明する。
【００３４】
本発明に係る卓上書見台１を、例えば図６に示したように机Ａの上に置くと、本載置板１１が所定の角度に保たれるので、必要に応じて第１傾斜角度調節手段７を操作して第１本載置板２しかして本載置板１１の傾斜角度を調節する。尚、第１本載置板２の傾斜角度を調節すると、第２本載置板３の傾斜角度も共に調節される。第１本載置板２の傾斜角度の調節は、第２固定手段８の第２締付ナット８ｂを弛めて傾斜角度調節板７ｃをスライドさせて行なう。本のサイズが大きい場合には、第１締付ナット４ｂを弛めて第２本載置板３を右方向へスライドさせることによって行う。本１２を本載置板１１上へ載置させ、その下端部を本支承部材９に当接させた後、本１２を開いて読みたいページを開き、第１ページ押さえ手段５と第２ページ押さえ手段６を用いて、ページを固定して読書を行う。開いたページが読み終わったら、第１ページ押さえ手段５の第１クリップ板５ｅを用いてページをめくり、次いで、このめくったページを第２ページ押さえ手段６でクリップさせて、引き続き読書し、しかる後、上記操作を本１２を読み終わるまで繰り返すことになる。尚、本１２は読み始めの時は、第１ページ押さえ手段５側に残されているページが厚いため、当該第１ページ押さえ手段５を用いてページ押させをしなくとも本１２が安定する場合がある。この場合は第１ページ押さえ手段５を使用しない場合がある。
【００３５】
次に、図７と図９は、本発明に係る第３ページ押さえ手段１０と第４ページ押さえ手段１５を示す。図７に示した第３ページ押さえ手段１０は、第１及び第２ページ押さえ手段５と６の各第１及び第２基板部５ａと６ａのどちらかに装着できるところの、その両側下部に第１取付溝１０ｋ、１０ｋを設けた材厚の厚い第１取付部１０ａと、この第１取付部１０ａに取り付けた第３基板部１０ｂと、この第３基板部１０ｂに対して第３ヒンジ手段１０ｃを介して回動可能に取り付けた第３クリップ部１０ｄ及び第３押圧部１０ｅを備えた第３クリップ板１０ｆと、前記第３ヒンジ手段１０ｃの第３ヒンジピン１０ｇに環巻きされて第３基板部１０ｂと第３クリップ板１０ｆとの間に弾設した、例えば、トーションスプリングから成る第３弾性手段１０ｈとで構成されている。
【００３６】
第３ヒンジ手段１０ｃは、第３基板部１０ｂより所定間隔を空けて立ち上げた一対の第３支承片１０ｉ、１０ｉと、第３クリップ板１０ｆより所定間隔を空けて垂下させた第３連結片１０ｊ、１０ｊを第３ヒンジピン１０ｇで連結させたものである。指示記号１０ｍ、１０ｍは例えばマジックテープ（登録商標）であり、図９において指示記号１０ｎで示したものは、第３ページ押さえ手段１０を例えば第１或は第２係止片５ｊ、６ｊへ係止させる連結紐である。
【００３７】
尚、この第３ページ押さえ手段１０において、第３基板部１０ｂは、これを第１取付部１０ａが兼ねるように構成しても良い。また、この第１取付部１０ａの材厚が厚いことが、図９に示したように、厚さのある本１２のページを左右水平に保ったり、押さえたりする際に重要である。
【００３８】
図８に示した第４ページ押さえ手段１５は、第１及び第２ページ押さえ手段５と６の各第１及び第２基板部５ａと６ａのどちらかに装着させるところの両側下部に第２取付溝１５ａ、１５ａを設けた第２取付部１５ｂと、この第２取付部１５ｂに取り付けたところの、例えば透明或は半透明の合成樹脂製で可撓性材質のページ押さえ板１５ｃとで構成されている。指示記号１５ｄ、１５ｄのものはマジックテープ（登録商標）である。
【００３９】
尚、この第４ページ押さえ手段１５において、第４ページ押さえ手段１５と第３ページ押さえ手段１０は、第２取付部１５ｂと第１取付部１０ａに、上述したように、それぞれにマジックテープ（登録商標）１５ｄ、１０ｍが取り付けられており、このマジックテープ（登録商標）１５ｄ、１０ｍを用いて第３ページ押さえ手段１０と第４ページ押さえ手段１５のいずれか一方或は双方を本載置板支承部材７ａに取り付けたマジックテープ（登録商標）７ｄ、７ｄに係着してその紛失を防止するものである。
【００４０】
図９は、第３ページ押さえ手段１０と第４ページ押さえ手段１５の使用例を示す。図中のものは、厚い本の読み始めのときの使用例を示し、第３ページ押さえ手段１０を第２ページ押さえ手段６へ重ねて取り付け、第４ページ押さえ手段１５を第１ページ押さえ手段５へ重ねて取り付けたものを示してある。いずれも、第１及び第２取付部１０ａ、１５ｂを第２ページ押さえ手段６と第１ページ押さえ手段５の第２及び第１クリップ板６ｅ、５ｅに、当該各第２及び第１クリップ板６ｅ、５ｅを第１取付溝１０ｋ、１０ｋと第２取付溝１５ａ、１５ａへ挿入させることによって装着されており、本載置板１１(第１本載置板２と第２本載置板３)上へ載置させる本１２が厚い場合に重ねて使用し、第３及び第４ページ押さえ手段１０、１５を用いて厚い本のページをしっかりと固定するものである。
【００４１】
一方の第４ページ押さえ手段１５のページ押さえ板１５ｃは、透明或は半透明の合成樹脂製であるので、このページ押さえ板１５ｃを通して本１２の字を読むことが可能である。尚、第３ページ押さえ手段１０と第４ページ押さえ手段１５を装着させる側は、上述したものに限定されるものではなく、厚い本の読み終わりに近くにあっては、その装着先を上述したものとは逆、つまり第３ページ押さえ手段１０を第１ページ押さえ手段５の側へ、第４ページ押さえ手段１５を第２ページ押さえ手段６の側へそれぞれ装着するものである。
【００４２】
図１０と図１１は、本発明に係る第２傾斜角度調節手段２０の他の実施例を示す。図面によれば、この第２傾斜角度調節手段２０は、その上部と下部の端面に溝の深い第１係止溝２０ａと溝の浅い第２係止溝２０ｂをその平面部と平行に設けたプレート部２０ｃと、このプレート部２０ｃの一端部側にその平面部に所定間隔を空けて取り付けて（設けて）一方の第２係止溝２０ｂの側へ突出させた一対の係止片２０ｄ、２０ｄと、これらの係止片２０ｄ、２０ｄを設けた側とは反対面に所定間隔を空けて突設させたところの側面略三角形状を呈した一対の脚部２０ｅ、２０ｅとで構成されている。
【００４３】
図１２乃至図１４は、以上のように構成した第２傾斜角度調節手段２０の使用例を説明するためのもので、図１２に示したように、第１傾斜角度調節手段７の傾斜角度調節板７ｃを本載置板支承部材７ａより引き出して第２固定手段８で固定させ、傾斜角度調節板７ｃの露出側を、第２傾斜角度調節手段２０の第１係止溝２０ａへ挿入させてやると、卓上書見台１の本載置板１１の傾斜角度をより高くすることができるものである。この第２傾斜角度調節手段２０のプレート部２０ｃの挿入方向を図１３に示したように変えても同じ効果を奏し得る。
【００４４】
また、第２傾斜角度調節手段２０のプレート部２０ｃに設けた第２係止溝２０ｂを、本支承部材９の第２突出部９ｂと嵌合させると、図１４に示したように、卓上書見台１を机上に対して略水平状態にする事ができる。このような使用例は、卓上書見台１を置く机が、例えば製図台のように最初から傾斜している場合や卓上に少し高くして水平において読書したい場合に利用できよう。
【００４５】
図１乃至図５は、また、図１５と図１６に示した本発明に係る車両内での本固定装置２６の一実施例を示し、図１乃至図５に示したように、上述した卓上書見台１の第１本載置板２の裏面には、所定間隔を空けて一対の紐状部材２５ａ、２５ａから成る第１固定手段２５が取り付けられている。この第１固定手段２５の紐状部材２５ａ、２５ａと上述した構成の卓上書見台１とで、図１５と図１６に示したように、自動車等の車両内での本固定装置２６が構成されている。
【００４６】
第１固定手段２５の紐状部材２５ａ、２５ａは、好ましくはゴム製であるが、その他の皮製、合成樹脂製のいずれの材料のもので良く、要するに卓上書見台１を車両のハンドルへ固定できるものであれば足りる。この紐状部材２５ａ、２５ａは、第１本載置板２の下端部の両側に取り付けた平面略Ｕ字形状の取付部材２７、２７に通されて取り付けられており、その両端側には、互いを接続する際に用いる、例えばマジックテープ（登録商標）から成る接続手段２８、２８・２９、２９が設けられている。尚、この接続手段２８、２８・２９、２９は、他にも公知のバンド方式、クリップ方式等であっても良く、要するに第１固定手段２５の紐状部材２５ａ、２５ａで卓上書見台１をハンドルに固定した際に、この固定状態を維持できれば足りる。さらに、第１本載置板２の裏面には、紐状部材２５ａ、２５ａに取り付けたマジックテープ（登録商標）２５ｂ、２５ｂを当該第１本載置板２へ固定するマジックテープ（登録商標）２ｄ、２ｄが取り付けられている。
【００４７】
使用に際しては、図１乃至図５に示した状態から、接続手段２８、２８・２９、２９による係着状態から紐状部材２５ａ、２５ａの両端部を離して、図１５と図１６に示したように、第１本載置板２を逆方向にして、紐状部材２５ａ、２５ａを自動車のハンドルＢに回し、次いで接続手段２８、２８・２９、２９で紐状部材２５ａ、２５ａの両側を接続すると装着完了である。図示のものは、本支承部材９の側が上方へ位置し、第１傾斜角度調節手段７の側が下の方に位置しているが、この取り付け方法に限定はない。これはハンドルＢの角度によるものとし、通常の卓上書見台１の使用例のように、本支承部材９の側をハンドルＢの下側にして当該ハンドルＢへ固定させても良い場合もある。図示のように、第１傾斜角度調節手段７の側をハンドルＢの下側に位置させた場合には、傾斜角度調節板７ｃを第１本載置板２の上面側へ突出させることが、本を第１本載置板２上へ固定する上で望ましいことになる。
【００４８】
後は、卓上書見台１の通常の卓上での使用例のように、本載置板１１上の本１２を各ページ押さえ手段５、６或は１０、１５を用いて固定させて、車内で読書をすることになる。尚、第１傾斜角度調節手段７をハンドルＢの下側へ位置させるのは、本載置板１１とハンドルＢとの間に生じる間隙により、第２本載置板３による本のサイズに合わせた調節をし易くし、かつ、ハンドルＢの傾斜に合わせて本載置板１１の傾斜角度を調節し易くするためである。
【００４９】
次に、図１７と図１９は自動車等の車両内の後部座席において、ヘッドレストＣを利用して本を固定する本固定装置３０の他の実施例を示す。とくに図１９に示したように、この本固定装置３０は、上述した卓上書見台１と、固定補助具３１とから構成されている。卓上書見台の構成は、上述したものと同じ構成であるので説明を省略するが、固定補助具３１は、とくに図１７と図１８に示したように、平面矩形状を呈した枠体３１ａと、この枠体３１ａより上方へ突設した固定片３１ｂと、この固定片３１ｂをヘッドレストＣへ固定させるために取り付けられた第２固定手段３１ｃとしての紐状部材３１ｄと、この紐状部材３１ｄの両端部に取り付けた、例えばマジックテープ（登録商標）のような接続手段３１ｅ、３１ｅと、枠体３１ａ下端部より後方へ突設された一対の保持片３１ｆ、３１ｆと、枠体３１ａの上部より前方へ取り付けた一対の支持部材３１ｇ、３１ｇとで構成されている。
【００５０】
使用に際しては、とくに図１９に示したように、ヘッドレストＣの後部に固定片３１ｂを当てがい、第２固定手段３１ｃの紐状部材３１ｄをヘッドレストＣの図示してない支柱部分に回して、接続手段３１ｅ、３１ｅを用いて固定片３１ｂをヘッドレストＣへ固定する。そうすると、保持片３１ｆ、３１ｆ（一方のみ表示）が座席Ｄの凹んでいる部分ｄに当たり、枠体３１ａが正しい姿勢に保持される。後は、卓上書見台１を枠体３１ａの上に載せ、第１傾斜角度調節手段７を枠体３１ａの手前側へ係止させると、本載置板１１が支持部材３１ｇ上に支承され、読書するのに適した姿勢にすることができるようになる。そこで卓上書見台１の本載置板１１上へ上述したように本を載置固定させて読書するものである。卓上書見台１の使用方法は前述したものと同じであるのでその説明を省略する。尚、紐状部材３１ｄは、これを縦方向へ２本設けてヘッドレストＣへ縦方向に回して固定片３１ｂをヘッドレストＣへ固定するようにしても良い。また、図１７と図１８に指示記号３１ｈ、３１ｈで示したものは係止ピンであって、図１９に示したように、卓上書見台１の第１傾斜角度調節手段７を枠体３１ａへ係止させ、本載置板１１上へ載置した際に、本の重量により卓上書見台１が枠体３１ａから外れて落下してしまわないようにするために、係止紐３１ｉ（ゴム製が好ましい。）で第１傾斜角度調節手段７の第２固定手段８の第２締付ナット８ｂへ係止させるのに用いるものである。
【００５１】
図２０乃至図２１は、上記した本発明に係る卓上書見台１の他の使用例を示す。図面によれば、例えばグラビア雑誌のような大判の雑誌を読む時には、第１固定手段４の第１締付ナット４ｂを緩めて第２本載置板３を右側へ引き出し、続いてグラビア雑誌４０を本載置板１１上へ載置させ、ページを開いて第１ページ押さえ手段５と第２ページ押さえ手段６を用いて開いたページを固定させて読み易い角度で読書をすることができる。このように本発明に係る卓上書見台１は、さまざまなサイズの本に対応できるものである。
【産業上の利用可能性】
【００５２】
以上詳細に説明したように、本発明に係る卓上書見台は、机の上に置いて使い勝手の良い書見台として用いることができ、自動車等の車両内において、ハンドルやヘッドレストへ本発明に係る卓上書見台を取り付け、この卓上書見台上へ本を固定させる本固定装置として用いることができる。
【符号の説明】
【００５３】
Ａ  机
Ｂ  ハンドル
Ｃ  ヘッドレスト
Ｄ  座席
１  卓上書見台
２  第１本載置板
３  第２本載置板
４  第１固定手段
５  第１ページ押さえ手段
６  第２ページ押さえ手段
７  第１傾斜角度調節手段
７ａ  本載置板支承部材
７ｃ  傾斜角度調節板
８  第２固定手段
９  本支承部材
１０  第３ページ押さえ手段
１１  本載置板
１２  本
１５  第４ページ押さえ手段
２０  第２傾斜角度調節手段
２５  第１固定手段
２５ａ  紐状部材
２６  本固定装置
２７  取付部材
２８  接続手段
３０  本固定装置
３１  固定補助具
３１ａ  枠体
３１ｂ  固定片
３１ｆ  保持片
【手続補正２】
【補正対象書類名】図面
【補正対象項目名】図２０
【補正方法】追加
【補正の内容】
【図２０】
2010220943.tif 000022
【手続補正３】
【補正対象書類名】図面
【補正対象項目名】図２１
【補正方法】追加
【補正の内容】
【図２１】
2010220943.tif 000023